(57)【特許請求の範囲】
【請求項１】
吊り具本体と、この吊り具本体の一端部に連結されたフックと、上記吊り具本体の他端部に連結された係止脚とを備え、この係止脚と吊り具本体とが両者の連結部において相対回動可能に連結されて、両者が相互に重畳させられる位置と、両者間に所定角度を形成する位置との２位置間で開閉可能となされており、
且つ、上記係止脚の上記吊り具本体との重畳面側で、この吊り具本体との連結部から所定距離離間した位置に、上記フックに係合されて、上記吊り具本体と係止脚とを重畳状態に保持する係止爪が設けられ、この係止爪が、上記係止脚に対して回動可能に装着されているとともに、上記係止脚に、上記係止爪を収納する収納凹部が形成されていることを特徴とする吊り具。
【請求項２】
上記吊り具本体と係止脚との連結部には、両者が開方向に相対回動させられた際に、両者の相対回動を拘束して両者間を所定角度に保持する係止手段が設けられていることを特徴とする請求項１に記載の吊り具。
【請求項３】
上記係止脚の上記吊り具本体との重畳面に、滑り止めが設けられていることを特徴とする請求項１または請求項２に記載の吊り具。
【発明の詳細な説明】
【０００１】
【発明の属する技術分野】
本発明は、吊り具に係わり、特に、机の端やいすの背もたれ、あるいは、棒状物等に物品を吊り下げる際に好適に用いられる吊り具に関するものである。
【０００２】
【従来の技術】
従来、傘やバックあるいは小物入れ等の携帯品を携帯していると、これらの携帯品を身体から離して身近に置いておきたい場合があるが、この場合、身近に机があるとこの机の上に携帯品を載せ、また、壁等にフックがある場合にはそのフックに携帯品を掛ける等の処置が可能である。
【０００３】
【発明が解決しようとする課題】
ところで、机の上が狭く携帯品を置くことができない場合や、身近にフック等がない場合があり、携帯品の処置に困ることが多々見られる。
【０００４】
このような不具合に対処するために、種々の携帯用の吊り具が提案されているが、殆どの吊り具がその設置位置の形状に制限があり、たとえば、棒状物へかけるように形成された吊り具にあっては、机の縁といった部分への設置が不安定となり、また、逆の場合には設置が不可能になる場合があり、その使い勝手が制限されているといった問題点を有している。
【０００５】
本発明は、このような従来の吊り具が有する問題点を有効に解決するためになされたもので、多様な形状の設置位置に設置可能で、使い勝手の広い吊り具を提供することを目的とする。
【０００６】
【課題を解決するための手段】
本発明の請求項１に記載の吊り具は、上記課題を解決するために、吊り具本体と、この吊り具本体の一端部に連結されたフックと、上記吊り具本体の他端部に連結された係止脚とを備え、この係止脚と吊り具本体とが両者の連結部において相対回動可能に連結されて、両者が相互に重畳させられる位置と、両者間に所定角度を形成する位置との２位置間で開閉可能となされており、且つ、上記係止脚の上記吊り具本体との重畳面側で、この吊り具本体との連結部から所定距離離間した位置に、上記フックに係合されて、上記吊り具本体と係止脚とを重畳状態に保持する係止爪が設けられ、この係止爪が、上記係止脚に対して回動可能に装着されているとともに、上記係止脚に、上記係止爪を収納する収納凹部が形成されていることを特徴とするものである。
【０００７】
請求項２に記載の発明は、請求項１における上記吊り具本体と係止脚との連結部には、両者が開方向に相対回動させられた際に、両者の相対回動を拘束して両者間を所定角度に保持する係止手段が設けられていることを特徴とするものである。
【００１０】
さらに、請求項３に記載の発明は、請求項１または請求項２における上記係止脚の、上記吊り具本体との重畳面に、滑り止めが設けられていることを特徴とするものである。
【００１１】
【発明の実施の形態】
図１ないし図３は、本発明の吊り具の一実施形態を示すもので、これらの図において符号１で示す吊り具は、吊り具本体２の一端部にフック３を設け、また、他端部に係止脚４を回動自在に設けて、これらのフック３と係止脚４とによって種々の形状の設置位置に対応させるように構成したものである。
【００１２】
すなわち、上記吊り具本体２は合成樹脂によって、一面が開放された略箱形に成形されており、図３ないし図５に示すように、その一端部（これらの図における下方の端部）の側壁には、その開放側の端縁から所定深さに、上記フック３が取り付けられる係止溝５が形成され、この係止溝５の開口部近傍が狭められて、上記フック３の離脱が防止されるようになっている。
【００１３】
また、上記吊り具本体２の他端部の側壁外面で、その開放側の端縁近傍には、その長さ方向外方へ向けて突出する断面半円状の係止軸６が、吊り具本体２の幅方向（図４における左右方向）に沿って一体に形成され、この係止軸６の中間部には、この係止軸６と同心状の円弧形状となされた係止板７が、上記係止軸６の長さ方向に間隔をおいて３個一体に形成されている。
そして、これらの各係止板７の外周面は、これらの外周面を結んで得られる形状が略球殻となるように形成されている。
【００１４】
さらに、上記吊り具本体２の上記他端部には、上記係止軸６の両端部から連続して設けられるとともに、上記各係止板７の外周面によって形成される球殻の中心を中心とした円弧状のガイド面８ａを有する円弧状の拘束壁８が一体に形成されている。
【００１５】
上記フック３は、合成樹脂によって全体が円形断面形状となされ、物品が吊り下げられる略円弧状のフック部３ａと、このフック部３ａに連続し、かつ、このフック部３ａの開口部前方を横切るようにして形成された直線状の連結部３ｂと、この連結部３ｂの中間部から、上記フック部３ａと反対側へ向けて突設された係合脚部３ｃとによって構成されており、この係合脚部３ｃの外径が、上記吊り具本体２に形成されている係止溝５の幅と略同一となされているとともに、この係合脚部３ｃの先端には、上記係止溝５の幅よりも大きな外径を有し、上記吊り具本体２の側壁内面に係合させられる抜け止め部３ｄが形成されている。
【００１６】
一方、上記係止脚４は、図６および図７に示すように、略長円状でかつ皿状に形成されており、その一端部（図６における右側の端部）の外周面が、上記吊り具本体２の拘束壁８の内面に形成されているガイド面８ａの半径と略同一の外径を有する球殻面となされ、また、その内周面が、上記吊り具本体２に形成されている各係止板７の外周面によって形成される球殻の外径と略同一の内径を有する球殻面となされており、これらの両球殻面によって上記各係止板７と拘束壁８との間に嵌合させられる球殻状の連結壁９が形成されている。
【００１７】
また、この連結壁９の先端部が、図７に示すように、上記係止脚４の厚さ方向に直線状に延設されて、図６に示すように、上記係止脚４の他の側壁の端面との間に一対の段部４ａが形成されているとともに、これらの段部４ａが、図７に示すように、係止脚４の長さ方向の断面において上記連結壁９の内外周面と同心円となる円弧面となされ、これらの段部４ａが、上記連結壁９を、上記吊り具本体２の係止板７と拘束壁８との間に挿入した状態において、上記係止軸６の両端部に当接させられるようになっている。
【００１８】
また、上記連結壁９の端部外周面には、外方へ向けて突出する抜け止め突起１０が突設されている。
【００１９】
したがって、上記係止脚４は、上記連結壁９を上記係止板７と拘束壁８との間に挿入した状態において、上記連結壁９の内外面が係止板７と拘束壁８とによって案内され、また、係止脚４の両段部４ａが係止軸６の両端部に当接させられることにより、上記係止脚４と吊り具本体２との連結がなされるとともに、抜け止め突起１０が上記拘束壁８に対して、係止脚４の挿入方向の反対側から当接させられることにより、両者の抜け止めが行なわれ、さらに、上記両段部４ａと係止軸６の両端部との当接によって、上記吊り具本体２と係止脚４との相対回動が、上記係止軸６回りに拘束されるようになっている。
【００２０】
また、上記吊り具本体２の、上記係止板７が設けられている側壁で、上記係止板７の基部近傍には、図１ないし図５に示すように、吊り具本体２の長さ方向に突出する係止突起２ａが一体に形成されており、上記係止脚４が開き方向に回動させられた際に、この係止脚４の上記連結壁９の端部が当接させられるようになされており、上記係止脚４の段部４ａと上記吊り具本体２の側壁外面との当接と相俟って両者の最大開き角度が拘束されるようになっている。
そして、この角度は好ましくは約７０゜前後に設定される。
したがって、本実施形態においては、上記係止突起２ａと連結壁９、および、段部４ａと上記吊り具本体２の側壁とによって係止手段が構成されている。
ここで、この係止手段は、上記係止突起２ａと連結壁９のみ、あるいは、段部４ａと吊り具本体２の側壁のみによって構成することも可能である。
【００２１】
また、上記係止脚４の他端部近傍には、この係止脚４を上記吊り具本体２に重畳させた状態において、この吊り具本体２の一端部に取り付けられている上記フック３の連結部３ｂに係合させられることにより、上記吊り具本体２と係止脚４との相対回動を拘束する係止爪１１が回動可能に設けられている。
【００２２】
この係止爪１１は、上記係止脚４に形成されている収納凹部１２の端部で、上記連結壁９が設けられている側と反対側の端部において回動可能に連結されて、その回動により上記収納凹部１２内に収納され、また、この収納凹部１２から突出するように回動させられた状態において、上記収納凹部１２の内面に当接させられることにより、その突出状態における最大回動位置が拘束されるようになっている。
そして、この係止爪１１の最大回動位置は、上記係止脚４と略直交する位置に設定されている。
【００２３】
さらに、上記係止脚４の、上記吊り具本体２と重畳させられる側の面、および、上記係止爪１２の、収納状態における外面には、ゴム等の滑り止め１３が設けられている。
【００２４】
このように構成された本実施形態に係わる吊り具１は、図１および図３に示すように、上記係止爪１１を係止脚４の収納凹部１２から引き出した状態でこの係止脚４を吊り具本体２へ重畳させ、さらに、上記係止爪１１をフック３の連結部３ｂに係合させて上記吊り具本体２と係止脚４とを重畳状態に保持することにより、携帯可能な状態となされる。
【００２５】
そして、図８に示すように、机Ｄの縁部に携帯品等を吊り下げる場合には、上記係止爪１１とフック３との係合を解除して、上記吊り具本体２と係止脚４とを最大回動位置まで相対回動させた後に上記係止爪１１を係止脚４の収納凹部１２内に収納し、この状態において上記係止脚４を上記机Ｄの縁部上面に当接させることにより、上記フック３を机Ｄの側縁下部に位置させることができるとともに、このフック３を介して上記机Ｄの側縁に携帯品を吊り下げることができる。
【００２６】
ここで、上記係止脚４と係止爪１１とに設けられている滑り止め１３が上記机Ｄの上面に圧接されることから、吊り具１のすべりや落下を防止することができ、安定した状態で携帯品を吊り下げることができる。
【００２７】
また、水平な丸棒、たとえば、図９に示すようなベビーカーＷの押し棒Ｘに携帯品を吊り下げる場合には、吊り具本体２と係止脚４とを広げた後に、この係止脚４に設けられている係止爪１１を突出させるように回動させ、この状態において、上記フック３を上記押し棒Ｘに引っかけることにより、携帯品の吊り下げ可能な状態とすることができる。
【００２８】
この状態で、図９に鎖線で示すように、上記係止脚４に携帯品Ｙを吊り下げると、この携帯品Ｙが上記係止爪１１と係合することにより、その落下が防止される。
【００２９】
さらに、いすの背もたれ等の、割合角張った部分に吊り具１を設置する場合には、吊り具１を、上記の押し棒Ｘへの設置状態から上下を入れ替えるように反転させて図２および図１０に示すように、係止脚４を上方に位置させた後に、この係止脚４を背もたれの上面に載せ、かつ、上記係止爪１１を背もたれの側面に係合させることにより、この背もたれへの設置が可能となる。
【００３０】
そして、この場合においては、背もたれの角部が、上記吊り具本体２と係止爪１１との間に形成される角部に係合させられるとともに、上記係止脚４に設けられている滑り止め１３と背もたれとが接触させられることにより、安定した設置ならびに携帯品等の吊り下げが可能となる。
【００３１】
このように、本実施形態に係わる吊り具１においては、多様な形状の設置位置に設置可能で、良好な使い勝手が得られるとともに、携帯時にはコンパクトにまとめて、バックの中に入れたり、バックの持ち手紐にフック３を利用して引っ掛けるなど、携帯を容易にすることができる。
【００３２】
なお、上記一実施形態において示した各構成部材の諸形状や寸法は一例であって、設計要求等に基づき種々変更可能である。
【００３３】
【発明の効果】
以上説明したように、請求項１ないし請求項３に記載の発明によれば、吊り具本体の一端部にフックを連結し、また、他端部に係止脚を連結し、この係止脚と吊り具本体とを両者の連結部において相対回動可能に連結するとともに、両者が相互に重畳させられる位置と、両者間に所定角度を形成する位置との２位置間で開閉可能としたことにより、上記係止脚を板材の縁部上面に接触させて、この板材の縁部への設置を可能にし、また、上記フック部を棒状物に吊り下げることにより、この棒状物への設置を可能にする。これによって使用可能な設置位置を拡大して、使い勝手の良好な吊り具を得ることができるとともに、吊り具本体と係止脚とを重畳させておくことにより、その容積を小さくして携帯を容易にすることができる。
また、上記係止脚の上記吊り具本体との重畳面側で、この吊り具本体との連結部から所定距離離間した位置に、上記フックに係合されて、上記吊り具本体と係止脚とを重畳状態に保持する係止爪を設けたことにより、携帯時における吊り具本体と係止脚との開きを防止して携帯性を向上させることができるとともに、係止脚に物品を吊り下げる際に、上記係止爪と物品との係合により、物品が係止脚から落下することを防止して安定した保持機能を得ることができる。
そして、上記係止爪を上記係止脚に対して回動可能に装着するとともに、上記係止脚に上記係止爪を収納する収納凹部を形成しておくことにより、上記係止爪を収納凹部に収納して、上記係止脚を板材に当接させるようにして設置する場合に、係止爪が障害となるようなことはない。
【００３４】
ここで、請求項２に記載の発明のように、上記吊り具本体と係止脚との連結部に、両者が開方向に相対回動させられた際に、両者の相対回動を拘束して両者間を所定角度に保持する係止手段を設けることにより、吊り具本体と係止脚との必要以上の開きを防止して、安定した設置を可能にする。
【００３７】
さらに、請求項３に記載の発明のように、上記係止脚の、上記吊り具本体との重畳面に、滑り止めを設けておくことにより、上記係止脚のすべりを防止して安定した設置状態あるいは物品の保持状態を実現することができる。
【図面の簡単な説明】
【図１】本発明の吊り具の一実施形態を示す正面図である。
【図２】本発明の吊り具の一実施形態を示す側面図である。
【図３】本発明の吊り具の一実施形態を示す縦断面側面図である。
【図４】本発明の吊り具の一実施形態を示すもので、吊り具本体の正面図である。
【図５】本発明の吊り具の一実施形態を示すもので、吊り具本体の縦断面側面図である。
【図６】本発明の吊り具の一実施形態を示すもので、係止脚の正面図である。
【図７】本発明の吊り具の一実施形態を示すもので、係止脚の縦断面側面図である。
【図８】本発明の吊り具の一実施形態を示すもので、使用状態を示す外観斜視図である。
【図９】本発明の吊り具の一実施形態を示すもので、他の使用状態を示す外観斜視図である。
【図１０】本発明の吊り具の一実施形態を示すもので、使用状態を示す外観斜視図である。
【符号の説明】
１  吊り具
２  吊り具本体
２ａ  係止突起（係止手段）
３  フック
４  係止脚
４ａ  段部（係止手段）
９  連結壁（係止手段）
１１  係止爪
１３  滑り止め
【図１】
0003906546.tif 000002
【図２】
0003906546.tif 000003
【図３】
0003906546.tif 000004
【図４】
0003906546.tif 000005
【図５】
0003906546.tif 000006
【図６】
0003906546.tif 000007
【図７】
0003906546.tif 000008
【図８】
0003906546.tif 000009
【図９】
0003906546.tif 000010
【図１０】
0003906546.tif 000011